(57)【要約】【課題】テレビ放送信号処理装置において、自動利得調整回路の温度特性によりスケルチ回路が動作する信号レベルが温度によりばらつくのを防止する。【解決手段】ＲＦ−ＩＦ変換部３０にて、特定放送チャンネルのテレビ放送信号を中間周波信号に周波数変換し、ＩＦ部５０にて、その中間周波信号を所定信号レベルまで増幅して、ＲＦ部７０にて、中間周波信号を所定放送チャンネルのテレビ放送信号に周波数変換して、出力するチャンネルプロセッサ２０において、スケルチ回路６４がテレビ放送信号のレベル低下（停波）の判定に用いる利得調整用の制御信号Ｓｃ２の温度特性を安定化させるため、ＲＦーＩＦ変換部３０に設けられた制御部４４から出力される制御信号の上限レベル（若しくは下限レベル）を温度に応じて制限する温度補償回路８０を設ける。【選択図】図２
2014017782.tif 000002
【特許請求の範囲】
【請求項１】
受信アンテナからの受信信号を増幅する第１増幅手段と、
前記第１増幅手段にて増幅された受信信号に含まれる特定放送チャンネルのテレビ放送信号を、予め設定された中間周波数帯の中間周波信号に周波数変換する第１周波数変換手段と、
前記第１周波数変換手段にて周波数変換された中間周波信号の信号レベルが、予め設定された第１目標レベルとなるよう、前記第１増幅手段の利得を調整する第１利得調整手段と、
前記第１周波数変換手段にて周波数変換された中間周波信号を増幅する第２増幅手段と、
前記第２増幅手段にて増幅された前記中間周波信号の信号レベルが、予め設定された第２目標レベルとなるよう、前記第２増幅手段の利得を調整する第２利得調整手段と、
前記第２増幅手段にて増幅された前記中間周波信号を、予め送信用として設定された放送チャンネルのテレビ放送信号に周波数変換する第２周波数変換手段と、
前記第２周波数変換手段にて周波数変換された所定放送チャンネルのテレビ放送信号を外部に出力する出力手段と、
前記第２利得調整手段から出力される第２利得調整用制御信号の信号レベルに基づき、前記受信アンテナからの前記テレビ放送信号の入力レベルが閾値レベルよりも低下しているか否かを判定し、前記テレビ放送信号の入力レベルが閾値レベルよりも低下しているときには、前記出力手段からの前記テレビ放送信号の出力を禁止する出力禁止手段と、
を備え、前記第１利得調整手段から出力される第１利得調整用制御信号の信号経路に、温度に応じて当該第１利得調整用制御信号の上限レベル若しくは下限レベルを制限することで、前記第２利得調整用制御信号の温度変動を抑制する温度補償手段、
を設けたことを特徴とするテレビ放送信号処理装置。
【請求項２】
前記温度補償手段は、電源電圧を分圧するよう互いに直列接続されたサーミスタと抵抗素子とを備え、
前記温度補償手段における前記電源電圧の分圧点と、前記第１利得調整用制御信号の信号経路との間に、
前記第１利得調整用制御信号が前記上限レベルを越えるか若しくは前記下限レベルを下回ると順方向に電流が流れて、前記第１利得調整用制御信号の上限レベル若しくは下限レベルを制限するダイオード、
が設けられていることを特徴とする請求項１に記載のテレビ放送信号処理装置。
【発明の詳細な説明】
【技術分野】
【０００１】
本発明は、受信アンテナから入力される受信信号の中から、特定放送チャンネルのテレビ放送信号を抽出し、その信号レベルを調整して出力するテレビ放送信号処理装置に関する。
【背景技術】
【０００２】
従来、ＣＡＴＶシステムのヘッドエンドや、テレビ放送信号を中継する中継装置には、受信アンテナにて受信した受信信号の中からテレビ放送信号を抽出して、その信号レベルを調整するテレビ放送信号処理装置が設けられている。
【０００３】
このテレビ放送信号処理装置は、受信信号に含まれる特定放送チャンネルのテレビ放送信号を所定周波数帯の中間周波信号に周波数変換して、その中間周波信号をレベル調整し、レベル調整後の中間周波信号を、所定放送チャンネルのテレビ放送信号に周波数変換して、出力するよう構成される。
【０００４】
そして、テレビ放送信号のレベル調整には、信号レベルが予め設定された目標レベルとなるよう増幅回路の利得を自動調整する、自動利得調整回路（ＡＧＣ回路）が用いられる（例えば、特許文献１参照）。
【０００５】
なお、ＡＧＣ回路は、通常、上記特許文献１に記載のように、中間周波信号を検波することで信号レベルを検出し、その信号レベルが目標レベルとなるよう、周波数変換前の受信信号を増幅する増幅回路の利得を自動調整するよう構成される。
【０００６】
また、テレビ放送信号は、放送局側のメンテナンスや気象条件等によって、一時的に停波することがあり、テレビ放送信号が停波しているときに、テレビ放送信号処理装置を通常通り動作させると、テレビ放送信号処理装置からノイズが出力され、そのノイズの周り込みによりテレビ放送信号処理装置が発振状態になることもある。
【０００７】
このため、テレビ放送信号処理装置には、ＡＧＣ回路から出力される利得調整用の制御信号から、受信したテレビ放送信号の信号レベルが低レベルであるか否かを判定し、信号レベルが低レベルであれば、テレビ放送信号の出力経路を遮断するスケルチ回路も設けられている。
【先行技術文献】
【特許文献】
【０００８】
【特許文献１】特開２００６−１３８０６号公報
【発明の概要】
【発明が解決しようとする課題】
【０００９】
ところで、テレビ放送信号処理装置には、テレビ放送信号の出力レベルをより正確に目標レベルに設定するため、上述したＡＧＣ回路（入力段に設けられた増幅回路の利得調整回路、以下、第１のＡＧＣ回路ともいう）とは別に、中間周波信号自体のレベル調整を行う第２のＡＧＣ回路が設けられることがある。
【００１０】
このように第２のＡＧＣ回路が設けられたテレビ放送信号処理装置では、受信信号に含まれるテレビ放送信号の入力レベルが通常範囲から低下し始めるまでは、入力段に設けられた第１のＡＧＣ回路にて、中間周波信号が略一定レベルに制御されることから、第２のＡＧＣ回路から出力される制御信号は、略一定レベルとなる。
【００１１】
そして、テレビ放送信号の入力レベルが通常範囲から低下し、第１のＡＧＣ回路では、中間周波信号の信号レベルを略一定レベルに制御できなくなると、中間周波信号を増幅する増幅回路の利得を上げるために、第２のＡＧＣ回路から出力される制御信号が変化する。
【００１２】
また、このように、第２のＡＧＣ回路から出力される制御信号は、テレビ放送信号の入力レベルが通常範囲から低下したときに変化し始めることから、テレビ放送信号処理装置に第２のＡＧＣ回路が設けられている場合、スケルチ回路は、第２のＡＧＣ回路からの制御信号に基づき、テレビ放送信号のレベル低下（停波）を判定するよう構成される。
【００１３】
つまり、第２のＡＧＣ回路からの制御信号が変化する、テレビ放送信号の低レベル領域では、テレビ放送信号の入力レベルと第２のＡＧＣ回路からの制御信号とが対応するため、スケルチ回路を上記のように構成することで、スケルチ回路でのテレビ放送信号のレベル判定をより正確に行うことが可能となる。
【００１４】
しかしながら、第２のＡＧＣ回路からの制御信号が変化する低レベル領域では、第２のＡＧＣ回路から出力される制御信号が、テレビ放送信号処理装置を構成するフィルタや増幅回路の温度特性の影響を受けて変化する。
【００１５】
つまり、図６に例示するように、第２のＡＧＣ回路からの制御信号は、テレビ放送信号の入力レベルが６０ｄＢμＶ以上の領域では、略一定レベルで安定する。
そして、テレビ放送信号の入力レベルが低下して、第２のＡＧＣ回路による利得調整が始まると、その入力レベルに応じて制御信号が変化するが、その変化特性は、温度によって大きく異なるものとなる。
【００１６】
このため、図６から明らかなように、第２のＡＧＣ回路からの制御信号がスケルチ回路の判定レベルよりも低下して、スケルチ回路がテレビ放送信号の出力を遮断する際のテレビ放送信号の入力レベルは、温度によって大きくばらついてしまう。
【００１７】
そして、このように、スケルチ回路が動作する際のテレビ放送信号の入力レベルが温度によって変化すると、テレビ放送信号が停波して、テレビ放送信号の入力レベルが極めて低いにもかかわらず、スケルチ回路によって出力が遮断されず、テレビ放送信号処理装置から出力されたノイズが入力側に回り込んで、テレビ放送信号処理装置が発振状態となり、テレビ放送信号の送信に悪影響を与えることがある。
【００１８】
なお、図６に示す例では、テレビ放送信号の入力レベルが低下すると、第２のＡＧＣ回路からの制御信号が低下し、増幅回路の利得を増加させるように第２のＡＧＣ回路が構成され、第２のＡＧＣ回路による中間周波信号のレベル調整可能範囲は、温度が低いほど、テレビ放送信号の低レベル側に広がるものとなっているが、ＡＧＣ回路の構成によっては、これらの変化特性が逆方向になることもある。
【００１９】
本発明は、こうした問題に鑑みなされたものであり、受信信号を中間周波信号に周波数変換することで特定放送チャンネルのテレビ放送信号を抽出し、受信信号及び中間周波信号をそれぞれ増幅する増幅回路の利得調整を行うことで、テレビ放送信号の信号レベルを調整するテレビ放送信号処理装置において、後段の利得調整回路からの制御信号が温度により変動して、スケルチ回路が動作する信号レベルが温度によりばらつくのを防止することを目的とする。
【課題を解決するための手段】
【００２０】
かかる目的を達成するためになされた請求項１に記載のテレビ信号処理装置は、
受信アンテナからの受信信号を増幅する第１増幅手段と、
前記第１増幅手段にて増幅された受信信号に含まれる特定放送チャンネルのテレビ放送信号を、予め設定された中間周波数帯の中間周波信号に周波数変換する第１周波数変換手段と、
前記第１周波数変換手段にて周波数変換された中間周波信号の信号レベルが、予め設定された第１目標レベルとなるよう、前記第１増幅手段の利得を調整する第１利得調整手段と、
前記第１周波数変換手段にて周波数変換された中間周波信号を増幅する第２増幅手段と、
前記第２増幅手段にて増幅された前記中間周波信号の信号レベルが、予め設定された第２目標レベルとなるよう、前記第２増幅手段の利得を調整する第２利得調整手段と、
前記第２増幅手段にて増幅された前記中間周波信号を、予め送信用として設定された放送チャンネルのテレビ放送信号に周波数変換する第２周波数変換手段と、
前記第２周波数変換手段にて周波数変換された所定放送チャンネルのテレビ放送信号を外部に出力する出力手段と、
前記第２利得調整手段から出力される第２利得調整用制御信号の信号レベルに基づき、前記受信アンテナからの前記テレビ放送信号の入力レベルが低下しているか否かを判定し、前記テレビ放送信号の入力レベルが低下しているときには、前記出力手段からの前記テレビ放送信号の出力を禁止する出力禁止手段と、
を備え、前記第１利得調整手段から出力される第１利得調整用制御信号の信号経路に、温度に応じて当該第１利得調整用制御信号の上限レベル若しくは下限レベルを制限することで、前記第２利得調整用制御信号の温度変動を抑制する温度補償手段、
を設けたことを特徴とする。
【００２１】
また、請求項２に記載のテレビ放送信号処理装置は、請求項１に記載のものにおいて、
前記温度補償手段は、電源電圧を分圧するよう互いに直列接続されたサーミスタと抵抗素子とを備え、
前記温度補償手段における前記電源電圧の分圧点と、前記第１利得調整用制御信号の信号経路との間に、
前記第１利得調整用制御信号が前記上限レベルを越えるか若しくは前記下限レベルを下回ると順方向に電流が流れて、前記第１利得調整用制御信号の上限レベル若しくは下限レベルを制限するダイオード、
が設けられていることを特徴とする。
【発明の効果】
【００２２】
請求項１に記載のテレビ信号処理装置においては、受信アンテナからの受信信号が、第１増幅手段にて増幅された後、第１周波数変換手段に入力される。
そして、第１周波数変換手段では、その受信信号に含まれる特定放送チャンネルのテレビ放送信号が、予め設定された中間周波数帯の中間周波信号に周波数変換される。
【００２３】
また、第１増幅手段の利得は、第１利得調整手段によって、第１周波数変換手段にて中間周波信号に周波数変換されたテレビ放送信号の信号レベルが第１目標レベルとなるように制御される。
【００２４】
次に、このように第１周波数変換手段にて周波数変換され、第１利得調整手段によって第１目標レベルにレベル調整された中間周波信号（テレビ放送信号）は、第２増幅手段にて更に増幅される。
【００２５】
そして、この第２増幅手段の利得は、第２利得調整手段によって、第２増幅手段にて増幅された中間周波信号の信号レベルが第２目標レベルとなるように制御される。
また、第２増幅手段にて増幅された中間周波信号は、第２周波数変換手段にて、予め送信用として設定された放送チャンネルのテレビ放送信号に周波数変換され、出力手段から外部に出力される。
【００２６】
また、本発明のテレビ信号処理装置には、上述したスケルチ回路に対応する出力禁止手段が設けられている。
そして、出力禁止手段は、第２利得調整手段から出力される第２利得調整用制御信号の信号レベルに基づき、受信アンテナからのテレビ放送信号の入力レベルが閾値レベルよりも低下しているか否かを判定し、テレビ放送信号の入力レベルが閾値レベルよりも低下しているときには、出力手段からのテレビ放送信号の出力を禁止する。
【００２７】
このように構成された本発明のテレビ信号処理装置においては、受信アンテナからの受信信号に含まれるテレビ放送信号の信号レベルが低下し、第１利得調整手段の機能だけでは、中間周波信号の信号レベルを第１目標レベルに制御できなくなると、第２増幅手段から出力される中間周波信号の信号レベルが低下する。
【００２８】
そして、このように、第２増幅手段から出力される中間周波信号の信号レベルが低下すると、第２利得調整手段が、その信号レベルを第２目標レベルに保持するために、第２増幅手段の利得を上昇させる。
【００２９】
従って、この場合、第２利得調整手段から出力される第２利得調整用制御信号は、通常時の略一定の信号レベルから変化する。
このため、出力禁止手段は、その信号レベルの変化から、受信アンテナからのテレビ放送信号の入力レベルが閾値レベルよりも低下したことを判定できる。
【００３０】
しかし、上述したように、第２利得調整手段から出力される第２利得調整用制御信号には温度特性があり、テレビ放送信号の入力レベルとの関係は、温度によって変化することから、出力禁止手段が出力手段からのテレビ放送信号の出力を禁止する際のテレビ放送信号の入力レベルも変化する。
【００３１】
そこで、本発明のテレビ放送信号処理装置においては、この第２利得調整用制御信号の温度によるばらつきを抑制するため、第１利得調整手段から出力される第１利得調整用制御信号の信号経路に、温度に応じて当該第１利得調整用制御信号の上限レベル若しくは下限レベルを制限する温度補償手段が設けられる。
【００３２】
つまり、本発明では、第１利得調整手段による第１増幅手段の利得調整範囲（詳しくは、受信アンテナから入力されるテレビ放送信号の低レベル側での利得調整可能範囲）を、温度に応じて設定するのである。
【００３３】
この結果、第２利得調整手段から出力される第２利得調整用制御信号が定常状態から変化し始めるときのテレビ放送信号の入力レベルが、温度によってばらつくのを抑制することができる。
【００３４】
よって、本発明のテレビ放送信号処理装置によれば、第２利得調整手段から出力される第２利得調整用制御信号と、テレビ放送信号の入力レベルとの関係が、温度によって大きくばらつくのを抑制し、出力禁止手段が出力手段からのテレビ放送信号の出力を禁止する際のテレビ放送信号の入力レベル（換言すれば出力禁止手段の動作点）のばらつきを小さくすることができる。
【００３５】
また、このように、出力禁止手段の動作点のばらつきを小さくすることができることから、その動作点でのテレビ放送信号の入力レベルを、テレビ放送信号処理装置が発振することのない適正レベルに設定することで、テレビ放送信号処理装置を安定して動作させ、テレビ放送信号処理装置が発振することにより、周囲の装置（例えば他のテレビ放送信号処理装置）の動作に悪影響を与えるのを防止できる。
【００３６】
ここで、温度補償手段は、請求項２に記載のように、電源電圧を分圧するよう互いに直列接続されたサーミスタと抵抗素子とを用いて構成し、温度補償手段における電源電圧の分圧点と、第１利得調整用制御信号の信号経路との間に、第１利得調整用制御信号が上限レベルを越えるか若しくは下限レベルを下回ると順方向に電流が流れるように、ダイオードを設けるようにするとよい。
【００３７】
つまり、このようにすれば、テレビ放送信号の低レベル領域で第１利得調整手段による利得調整ができなくなる動作停止点を、サーミスタと抵抗素子とによる電源電圧の分圧電圧にて設定することができ、しかも、そのための回路構成を極めて簡単にすることができる。
【図面の簡単な説明】
【００３８】
【図１】実施形態のＣＡＴＶシステムのヘッドエンドの概略構成を表すブロック図である。
【図２】チャンネルプロセッサの構成を表すブロック図である。
【図３】温度補償回路の出力電圧特性を表す説明図である。
【図４】実施形態の利得調整用制御信号とテレビ放送信号の入力レベルとの関係を表す特性図である。
【図５】実施形態のギャップフィラーシステムの概略構成を表すブロック図である。
【図６】従来の利得調整用制御信号とテレビ放送信号の入力レベルとの関係を表す特性図である。
【発明を実施するための形態】
【００３９】
以下に本発明の実施形態を図面と共に説明する。
本実施形態のＣＡＴＶシステムのヘッドエンド４は、テレビ放送電波受信用の受信アンテナ２から入力される受信信号を取り込み、受信信号に含まれる複数のテレビ放送チャンネルのテレビ放送信号を、それぞれ、レベル調整して、端末側の伝送路へ出力するものであり、図１に示すように構成されている。
【００４０】
すなわち、ヘッドエンド４には、受信アンテナ２からの受信信号を取り込むための入力回路６、入力回路６を介して入力された受信信号を増幅する増幅回路（所謂ローノイズアンプ）８、増幅回路８により増幅された受信信号を、受信信号に含まれるテレビ放送信号の数に応じて分配する分配回路１０、及び、分配回路１０にて分配された複数の受信信号を、それぞれ信号処理する複数のチャンネルプロセッサ２０を備える。
【００４１】
ここで、入力回路６は、避雷素子やフィルタ等からなり、受信アンテナ２から入力される受信信号の内、例えば、地上波によるテレビ放送帯域（ＵＨＦ帯）の受信信号を選択的に取り込むためのものである。
【００４２】
また、チャンネルプロセッサ２０は、本発明のテレビ放送信号処理装置に対応するものであり、分配回路１０を介して入力される受信信号の中から、予め設定された特定放送チャンネルのテレビ放送信号を抽出して、その信号レベルを調整する。
【００４３】
そして、複数のチャンネルプロセッサ２０は、信号処理対象となるテレビ放送信号の放送チャンネルが、互いに異なる特定放送チャンネルに予め設定されている。
次に、各チャンネルプロセッサ２０にてレベル調整されたテレビ放送信号は、混合回路１２に入力されて、端末側への伝送信号として互いに混合される。
【００４４】
そして、その混合回路１２から出力される伝送信号は、増幅回路１４にて増幅された後、避雷素子やフィルタ等からなる出力回路１６を介して、ＣＡＴＶシステムの伝送路へ出力される。
【００４５】
次に、図２に示すように、チャンネルプロセッサ２０には、受信信号に含まれる特定放送チャンネルのテレビ放送信号を予め設定された中間周波数帯の中間周波信号に周波数変換するＲＦ−ＩＦ変換部３０、ＲＦ−ＩＦ変換部３０から出力される中間周波信号を所定の信号レベルまで増幅するＩＦ部５０、及び、ＩＦ部５０から出力される中間周波信号を所定のテレビ放送チャンネルのテレビ放送信号に周波数変換して、外部の伝送路へ出力するＲＦ部７０、が備えられている。
【００４６】
ここで、ＲＦ−ＩＦ変換部３０において、分配回路１０から受信信号が入力される入力段には、自動利得調整（ＡＧＣ）機能付きの増幅回路（ＡＧＣアンプ）３２が備えられている。
【００４７】
そして、ＡＧＣアンプ３２にて増幅された受信信号は、ミキサ３４にて、周波数変換用の高周波信号であるローカル信号と混合されることにより、中間周波信号に周波数変換（ダウンコンバート）される。
【００４８】
また、ミキサ３４にてダウンコンバートされた受信信号は、ダウンコンバート後の特定放送チャンネルのテレビ放送信号（つまり特定放送チャンネルの中間周波信号）を選択的に通過させるバンドパスフィルタ（ＢＰＦ）３６を介して、一定利得の増幅回路（アンプ）３８に入力され、このアンプ３８にて所定レベルまで増幅された後、ＩＦ部５０に出力される。
【００４９】
また、アンプ３８からＩＦ部５０への中間周波信号の出力経路には、分岐回路４０が設けられており、アンプ３８にて増幅された中間周波信号の一部が、分岐回路４０を介して、検波部４２に入力される。
【００５０】
検波部４２は、中間周波信号を検波することで、中間周波信号の信号レベルを検出するものであり、検波部４２からの検波信号は、ＡＧＣアンプ３２の利得調整を行う制御部４４に入力される。
【００５１】
そして、制御部は、検波部４２から入力される検波信号の信号レベル（電圧）が、予め設定された第１目標レベルとなるよう、ＡＧＣアンプ３２に出力する利得調整用の制御信号Ｓｃ１を制御する。
【００５２】
なお、本実施形態では、ＡＧＣアンプ３２は、制御信号Ｓｃ１が大きい程、利得が大きくなるよう構成されている。
このため、制御部４４は、検波部４２からの検波信号が、中間周波信号の第１目標レベルに対応した第１閾値電圧よりも低い場合に、制御信号Ｓｃ１の電圧を上昇させて、ＡＧＣアンプ３２の利得を増加させ、逆に、検波部４２からの検波信号が第１閾値電圧よりも高い場合には、制御信号Ｓｃ１の電圧を低下させて、ＡＧＣアンプ３２の利得を低下させる。
【００５３】
次に、ＩＦ部５０においては、ＲＦ−ＩＦ変換部３０から出力された特定放送チャンネルの中間周波信号が、不要信号成分を除去するためのバンドパスフィルタ（ＢＰＦ）５２を介して取り込まれ、一定利得の増幅回路（アンプ）５４にて増幅される。
【００５４】
このアンプ５４の出力には、可変減衰回路（ＡＴＴ）５６が設けられており、ＩＦ部５０においては、このＡＴＴ５６の減衰量を調整することで、アンプ５４（換言すればＩＦ部５０）の利得を調整できるようになっている。
【００５５】
このため、ＡＴＴ５８からＲＦ部７０への中間周波信号の出力経路には、分岐回路５８が設けられており、ＡＴＴ５８を通過した中間周波信号の一部が、分岐回路５８を介して、信号レベル検出用の検波部６０に入力される。
【００５６】
そして、検波部６０からの検波信号は、利得調整用（詳しくはＡＴＴ５６の減衰量調整用）の制御部６２に入力され、制御部６２は、検波部６０から入力される検波信号の信号レベル（電圧）が、予め設定された第２目標レベルとなるよう、ＡＴＴ５６に出力する制御信号Ｓｃ２を制御する。
【００５７】
なお、本実施形態では、ＡＴＴ５６は、制御信号Ｓｃ２が大きい程、減衰量が大きくなるよう構成されている。
このため、制御部６２は、検波部６０からの検波信号が、第２目標レベルに対応した第２閾値電圧よりも低い場合に、制御信号Ｓｃ２の電圧を減少させて、ＡＴＴ５６の減衰量を低下させることにより、ＩＦ部５０での中間周波信号の増幅利得を増加させる。
【００５８】
また、制御部６２は、検波部６０からの検波信号が、第２閾値電圧よりも高い場合には、制御信号Ｓｃ２の電圧を上昇させて、ＡＴＴ５６の減衰量を増加させることにより、ＩＦ部５０での中間周波信号の増幅利得を低下させる。
【００５９】
次に、ＲＦ部７０には、ＩＦ部５０から入力される中間周波信号と、周波数変換用の高周波信号であるローカル信号とを混合することで、中間周波信号を、所定放送チャンネルのテレビ放送信号に周波数変換（アップコンバート）するミキサ７２が設けられている。
【００６０】
そして、このミキサ７２で周波数変換（アップコンバート）されたテレビ放送信号は、不要信号成分を除去するためのバンドパスフィルタ（ＢＰＦ）７４を介して、一定利得の増幅回路（アンプ）７６に入力される。
【００６１】
また、このアンプ７６にて増幅されたテレビ放送信号は、不要信号成分を除去するためのバンドパスフィルタ（ＢＰＦ）７８を介して、混合回路１２へ出力される。
ここで、アンプ７６は、アンプ７６への電源供給ライン（図示せず）を遮断することにより、チャンネルプロセッサ２０が動作しているときにでも、アンプ７６単体の動作を停止できるように構成されている。
【００６２】
そして、チャンネルプロセッサ２０内には、ＩＦ部５０の制御部６２からＡＴＴ５６に出力される制御信号Ｓｃ２の電圧レベルに基づき、受信アンテナ２から入力される特定放送チャンネルのテレビ放送信号の入力レベルが、所定の閾値レベルよりも低下したか否かを判定し、テレビ放送信号の入力レベルが閾値レベルよりも低下した場合には、アンプ７６への電源供給ラインを遮断することにより、アンプ７６の動作を停止させる、コンパレータからなるスケルチ回路６４が設けられている。
【００６３】
このように構成された本実施形態のチャンネルプロセッサ２０においては、ＲＦ−ＩＦ変換部３０に設けられた利得調整用の制御部４４、及び、ＩＦ部５０に設けられた利得調整用の制御部６２の動作によって、ＲＦ部７０に入力される中間周波信号（テレビ放送信号）の信号レベルが一定レベルに調整され、ＲＦ部７０から混合回路１２に所定信号レベルのテレビ放送信号が出力される。
【００６４】
また、受信アンテナ２からの受信信号に含まれる特定放送チャンネルのテレビ放送信号の信号レベルが低下し、ＲＦ部７０から所定信号レベルのテレビ放送信号を正常に出力することができなくなると、スケルチ回路６４がその旨を検知して、ＲＦ部７０内のアンプ７６への電源供給を遮断する。このため、ＲＦ部７０から混合回路１２にノイズ等の不要信号が出力されるのを防止できる。
【００６５】
ところで、スケルチ回路６４は、ＩＦ部５０に設けられた利得調整用の制御部６２から出力される制御信号Ｓｃ２の電圧レベルに基づき、受信アンテナ２からのテレビ放送信号の入力レベルの低下を判定する。
【００６６】
このため、図６に示したように、制御部６２からの制御信号Ｓｃ２の出力特性が、温度により変化すると、スケルチ回路６４がテレビ放送信号のレベル低下を判定する際のテレビ放送信号の入力レベルが、温度によって大きく異なり、スケルチ回路６４を所望の入力レベルで動作させることができなくなってしまう。
【００６７】
そこで、本実施形態のチャンネルプロセッサ２０には、更に、制御部６２からの制御信号Ｓｃ２の出力特性が、温度によって変化するのを防止する、温度補償回路８０が設けられている。
【００６８】
この温度補償回路８０は、電源電圧ＶＢが印加された電源ライン側からグランドラインへと、温度の上昇に伴い抵抗値が低下する負の温度特性を有するサーミスタ８２、分圧電圧取出用の摺動接点を有する可変抵抗器（所謂ボリューム）８４、及び、一定抵抗値の抵抗素子８６を順に接続した直列回路を備え、この直列回路にて電源電圧Ｖｂを分圧するように構成されている。
【００６９】
また、可変抵抗器８４の摺動接点は、ダイオード８８を介して、ＲＦ−ＩＦ変換部３０内で制御部４４からＡＧＣアンプ３２へ出力される制御信号Ｓｃ１の出力経路に接続されている。
【００７０】
なお、ダイオード８８は、カソードが可変抵抗器８４の摺動接点に接続され、アノードが制御信号Ｓｃ１の出力経路に接続されている。
このため、ＲＦ−ＩＦ変換部３０の制御部４４からＡＧＣアンプ３２へ出力される制御信号Ｓｃ１は、その上限レベルが、可変抵抗器８４の摺動接点の電圧レベルに制限されることになる。
【００７１】
つまり、本実施形態では、制御部４４が、検波部４２を介して検出された中間周波信号の信号レベルが第１目標レベルよりも低いときに、制御信号の信号レベルを増加させて、ＡＧＣアンプ３２の利得を上昇させるように構成されている。
【００７２】
このため、本実施形態では、図３に示すように、可変抵抗器８４の摺動接点の電圧レベル（換言すれば制御信号Ｓｃ１の上限レベル）が、温度が低い程、低レベルとなるように設定されることになり、テレビ放送信号の入力レベルが低下したときのＡＧＣアンプ３２の利得は、高温時よりも低温時の方が低くなる。
【００７３】
この結果、テレビ放送信号の入力レベルの低下に伴い、ＲＦ−ＩＦ変換部３０に設けられた制御部４４にて中間周波信号の信号レベルを第１目標レベルに制御できなくなって、ＩＦ部５０に設けられた制御部６２がＡＴＴ５６の減衰量を低下させ始めるときのテレビ放送信号の入力レベルが、温度によってばらつくのを抑制することができる。
【００７４】
よって、本実施形態のチャンネルプロセッサ２０によれば、図４に示すように、ＩＦ部５０に設けられた制御部６２から出力される利得調整用の制御信号Ｓｃ２の電圧レベルと、テレビ放送信号の入力レベルとの関係が、温度によって大きくばらつくのを抑制することができ、スケルチ回路６４が、ＲＦ部７０内のアンプ７６の動作を停止させる際のテレビ放送信号の入力レベルのばらつきを小さくすることができる。
【００７５】
また、このように、スケルチ回路６４によりアンプ７６が動作を停止する際のテレビ放送信号の入力レベルのばらつきを小さくすることができることから、そのときのテレビ放送信号の入力レベルを、チャンネルプロセッサ２０が発振することのない適正レベルとなるよう、容易に設定することが可能となり、延いては、チャンネルプロセッサ２０内で出力信号が入力側に回り込むことにより生じる発振を防止することができる。
【００７６】
なお、本実施形態においては、ＲＦ−ＩＦ変換部３０を構成するＡＧＣアンプ３２が、本発明の第１増幅手段に相当し、ミキサ３４及びＢＰＦ３６が、本発明の第１周波数変換手段に相当し、検波部４２及び制御部４４が、本発明の第１利得調整手段に相当する。
【００７７】
また、ＩＦ部５０を構成するアンプ５４及びＡＴＴ５６が本発明の第２増幅手段に相当し、検波部６０及び制御部６２が、本発明の第２利得調整手段に相当し、ＲＦ部７０を構成するミキサ７２が、本発明の第２周波数変換手段に相当し、ＢＰＦ７４、７８及びアンプ７６が、本発明の出力手段に相当する。
【００７８】
また、スケルチ回路６４は、本発明の出力禁止手段に相当し、温度補償回路８０は、本発明の温度補償手段に相当する。
以上、本発明の一実施形態について説明したが、本発明は、上記実施形態に限定されるものではなく、本発明の要旨を逸脱しない範囲内にて、種々の態様をとることができる。
【００７９】
例えば、上記実施形態では、制御部４４から出力される制御信号Ｓｃ１は、ＡＧＣアンプ３２の利得を上昇させる際に、その電圧レベルが増加することから、温度補償回路８０は、その制御信号Ｓｃ１の上限レベルを、温度に応じて制限するように構成されるが、制御部４４から出力される制御信号Ｓｃ１の電圧レベルが、ＡＧＣアンプ３２の利得を上昇させる際に低下するように構成されている場合には、温度補償回路８０は、その制御信号Ｓｃ１の下限レベルを、温度に応じて制限するように構成すればよい。
【００８０】
また、上記実施形態では、本発明のテレビ放送信号処理装置を、ＣＡＴＶシステムのヘッドエンド４に設けられるチャンネルプロセッサ２０に適用した場合について説明したが、本発明のテレビ放送信号処理装置は、図５に示すように、放送局から送信されたテレビ放送電波を受信アンテナ２ｒにて受信し、その受信信号を信号処理した後、送信アンテナ２ｔから再送信するテレビ放送信号の再送信システム（所謂ギャップフィラーシステム）に適用することもできる。
【００８１】
つまり、図５に示すギャップフィラーフィラシステム９０には、受信アンテナ２ｒからの受信信号を取り込む入力部９２、入力部９２を介して取り込まれた受信信号の中から、再送信すべき特定放送チャンネルのテレビ放送信号を抽出して、レベル調整するプロセッサユニット９４、及び、プロセッサユニット９４にてレベル調整されたテレビ放送信号を送信アンテナ２ｔから再送信させる送信ユニット９６、が設けられているが、プロセッサユニット９４として、上記実施形態のチャンネルプロセッサ２０を用いるようにすれば、上記実施形態と同様の効果を得ることができる。
【符号の説明】
【００８２】
２…受信アンテナ、４…ヘッドエンド、６…入力回路、８…増幅回路、１０…分配回路、１２…混合回路、１４…増幅回路、１６…出力回路、２０…チャンネルプロセッサ、３０…ＲＦ−ＩＦ変換部、３２…ＡＧＣアンプ、３４…ミキサ、３６…ＢＰＦ、３８…アンプ、４０…分岐回路、４２…検波部、４４…制御部、５０…ＩＦ部、５２…ＢＰＦ、５４…アンプ、５６…可変減衰器（ＡＴＴ）、５８…分岐回路、６０…検波部、６２…制御部、６４…スケルチ回路、７０…ＲＦ部、７２…ミキサ、７４，７８…ＢＰＦ、７６…アンプ、８０…温度補償回路、８２…サーミスタ、８４…可変抵抗器、８６…抵抗素子、８８…ダイオード、２ｒ…受信アンテナ、２ｔ…送信アンテナ、９０…ギャップフィラーフィラシステム、９２…入力部、９４…プロセッサユニット、９６…送信ユニット。
【図１】
2014017782.tif 000003
【図２】
2014017782.tif 000004
【図３】
2014017782.tif 000005
【図４】
2014017782.tif 000006
【図５】
2014017782.tif 000007
【図６】
2014017782.tif 000008